(57)【要約】【課題】ガラス板を框に対して確実に、バランス良く、且つ見栄え良く取り付けることのできる、新しいガラス入りドアのガラス板保持材およびガラス板取付方法を提供する。【解決手段】ガラス板保持材（３）を、溝底に向かって先細るテーパー状溝部（３１）とテーパー状溝部（３１）の開口端から外方に延設された一対の横片部（３２）とを有するものとし、このガラス板保持材（３）を、テーパー状溝部（３１）を框（２）の溝部（２１）内に嵌め込むと共に横片部（３２）を框（２）の溝部（２１）外に出すようにして、溝部（２１）に装着し、この装着状態にてガラス板（１）の端部（１１）の差込時に、当該端部（１１）によってテーパー状溝部（３１）を溝部（２１）内にさらに押し込むとともに横片部（３２）を溝部（２１）内へ引き込むようにする。【選択図】      図１
2004251029.tif 000002
【特許請求の範囲】
【請求項１】
框に設けられた溝部に装着されて、ガラス板の端部が差し込まれるガラス入りドアのガラス板保持材であって、
溝底に向かって先細るテーパー状溝部と、当該テーパー状溝部の開口端から外方に延設された一対の横片部とを有しており、
テーパー状溝部が框の溝部内に嵌め込まれるとともに横片部が框の溝部外に出るようにして、框の溝部に装着され、
この装着状態にてガラス板の端部が差し込まれる際に、当該端部によってテーパー状溝部が框の溝部内にさらに押し込まれるとともに横片部が框の溝部内へ引き込まれるようになっている、
ことを特徴とするガラス入りドアのガラス板保持材。
【請求項２】
横片部は、テーパー状溝部の開口端よりも厚みのあるものであることを特徴とする請求項１記載のガラス板保持材。
【請求項３】
框に設けられた溝部にガラス板保持材を装着し、このガラス板保持材にガラス板の端部を差し込むガラス入りドアのガラス板取付方法であって、
ガラス板保持材として、溝底に向かって先細るテーパー状溝部と、当該テーパー状溝部の開口端から外方に延設された一対の横片部とを有するものを用い、
このガラス板保持材を、テーパー状溝部を框の溝部内に嵌め込むとともに横片部を框の溝部外に出すようにして、框の溝部に装着し、
この装着状態にてガラス板の端部を差し込む際に、当該端部によってテーパー状溝部を框の溝部内にさらに押し込むとともに横片部を框の溝部内へ引き込ませる、
ことを特徴とするガラス入りドアのガラス板取付方法。
【請求項４】
ガラス板保持材として、テーパー状溝部の開口端よりも厚みのある横片部を有するものを用いることを特徴とする請求項３記載のガラス入りドアのガラス板取付方法。
【発明の詳細な説明】
【０００１】
【発明の属する技術分野】
この出願の発明は、ガラス入りドアのガラス板保持材およびガラス板取付方法に関するものである。さらに詳しくは、この出願の発明は、ガラス入りドアに有用な、框に対するガラス板の良好な取付状態を確保できる新しいガラス板保持材およびガラス板取付方法に関するものである。
【０００２】
【従来の技術】
従来、ガラス板とそれを保持する框とからなるガラス入りドアについては、ガラス板の端部を框に設けた溝部に差し込むようにしたガラス板取付構造がしばしば採用されており、これにおいてさらに、框の溝部に断面略コ字型の軟質パッキンを装着し、当該パッキンの断面略コ字型溝にガラス板の端部を差し込むようにすることが既に提案されている（特許文献１参照）。
【０００３】
【特許文献１】
特開２００２−２０１８６７号公報
【０００４】
【発明が解決しようとする課題】
しかしながら、上記特許文献１に記載のものでは、ガラス板をパッキンの断面略コ字型溝に差し込む際、力の入り方によってはパッキンが框の溝部内にて片側に寄った状態でガラス板が差し込まれてしまい、ガラス板の安定性が悪くなる恐れがあった。
【０００５】
この安定性を良くするために、パッキンを框の溝部からはみ出させるようにすることも考慮できるが、これではガラス板と框との間にパッキンが露出し、見栄えが悪くなってしまう。
【０００６】
そこで、この出願の発明は、以上のとおりの事情に鑑み、ガラス板を框に対して確実に、バランス良く、且つ見栄え良く取り付けることのできる、新しいガラス入りドアのガラス板保持材およびガラス板取付方法を提供することを課題としている。
【０００７】
【課題を解決するための手段】
この出願の発明は、上記の課題を解決するものとして、第１には、框に設けられた溝部に装着されて、ガラス板の端部が差し込まれるガラス入りドアのガラス板保持材であって、溝底に向かって先細るテーパー状溝部と、当該テーパー状溝部の開口端から外方に延設された一対の横片部とを有しており、テーパー状溝部が框の溝部内に嵌め込まれるとともに横片部が框の溝部外に出るようにして、框の溝部に装着され、この装着状態にてガラス板の端部が差し込まれる際に、当該端部によってテーパー状溝部が框の溝部内にさらに押し込まれるとともに横片部が框の溝部内へ引き込まれるようになっている、ことを特徴とするガラス入りドアのガラス板保持材を提供し、第２には、前記横片部は、前記テーパー状溝部の開口端よりも厚みのあるものであることを特徴とするガラス板保持材を提供する。
【０００８】
また、この出願の発明は、上記の課題を解決するものとして、第３には、框に設けられた溝部にガラス板保持材を装着し、このガラス板保持材にガラス板の端部を差し込むガラス入りドアのガラス板取付方法であって、ガラス板保持材として、溝底に向かって先細るテーパー状溝部と、当該テーパー状溝部の開口端から外方に延設された一対の横片部とを有するものを用い、このガラス板保持材を、テーパー状溝部を框の溝部内に嵌め込むとともに横片部を框の溝部外に出すようにして、框の溝部に装着し、この装着状態にてガラス板の端部を差し込む際に、当該端部によってテーパー状溝部を框の溝部内にさらに押し込むとともに横片部を框の溝部内へ引き込ませる、ことを特徴とするガラス入りドアのガラス板取付方法を提供し、第４には、前記ガラス板保持材として、前記テーパー状溝部の開口端よりも厚みのある前記横片部を有するものを用いることを特徴とするガラス入りドアのガラス板取付方法を提供する。
【０００９】
【発明の実施の形態】
上記のとおりの特徴を有するこの出願の発明によれば、たとえば図１に例示したように、ガラス板（１）および框（２）とを備えたガラス入りドアについて、框（２）に設けられた溝部（２１）に装着されて、ガラス板（１）の端部（１１）が差し込まれるガラス板保持材（３）を、溝底に向かって先細るテーパー状溝部（３１）と、当該テーパー状溝部（３１）の開口端から外方に延設された一対の横片部（３２）とを有するものとし、このガラス板保持材（３）を、テーパー状溝部（３１）を框（２）の溝部（２１）内に嵌め込むとともに横片部（３２）を框（２）の溝部（２１）外に出すようにして、框（２）の溝部（２１）に装着し、この装着状態にてガラス板（１）の端部（１１）を差し込む際に、当該端部（１１）によってテーパー状溝部（３１）を框（２）の溝部（２１）内にさらに押し込むとともに横片部（３２）を框（２）の溝部（２１）内へ引き込むようにすることで、ガラス板（１）の差込前に、ガラス板保持材（３）を框（２）の溝部（２１）内に完全に装着しておくのではなく、テーパー状溝部（３１）のみを溝部（２１）内に嵌め込み、横片部（３２）は溝部（２１）外に出しておく仮装着あるいは半装着とも呼べる状態にしておき、ガラス板（１）の差込時に、ガラス板保持材（３）全体をガラス板（１）の端部（１１）とともに框（２）の溝部（２１）内へ押し込むので、ガラス板保持材（３）が溝部（２１）内にて片側に寄ることも、溝部（２１）から露出することもなくなり、ガラス板（１）を框（２）に対して確実に、バランス良く、且つ見栄え良く取り付けることが実現されるのである。
【００１０】
この場合さらに説明すると、たとえば図１の実施形態では、軟質樹脂製パッキンをその代表とするガラス板保持材（３）は、左右両側の溝内壁（３１１）がそれぞれ溝底に向かって傾斜して先細るテーパー状溝部（３１）と、このテーパー状溝部（３１）の開口端つまり左右両側の溝壁（３１２）の開口側先端から互いに反対方向に向かって外方に延設され、略水平に広がった一対の横片部（３２）（横広り部とも呼べる）とを一体に有し、且つ、ガラス板（１）の差込時にその端部（１１）とともに框（２）の溝部（２１）内へ押し込まれる際にテーパー状溝部（３１）につられて横片部（３２）が折れ曲がって略垂直状態まで立ち上がり可能なものとなっている。本実施形態では、この横片部（３２）の立上りをより容易に且つ滑らかなものとすべく、軟質樹脂材を用いるだけでなく、横片部（３２）が折れ曲がる部位に微小な凹み（３２１）を設けている。また、ガラス板保持材（３）の全高Ａ、つまりテーパー状溝部（３１）と略垂直状態時の横片部（３２）とを合わせた高さＡは、予め框（２）の溝部（２１）の深さ寸法Ｂより短くしてある。
【００１１】
このようなガラス板保持材（３）を用いてガラス板（１）を框（２）の溝部（２１）に取り付ける際には、まず、ガラス板保持材（３）を、テーパー状溝部（３１）を溝部（２１）内に嵌め込み、横片部（３２）が溝部（２１）から外に出て溝部（２１）周りの框（２）表面上に接した状態として、溝部（２１）に仮装着する。そして、ガラス板（１）の端部（１１）を、テーパー状溝部（３１）内に差し込み、そのまま溝部（２１）内へ押し込む。この端部（１１）の差込・押込にしたがって、テーパー状溝部（３１）が溝部（２１）の溝底まで押し込まれるとともに、横片部（３２）がその凹み（３２１）にて折れ曲がり立ち上がって溝部（２１）内に引き込まれ、ガラス板保持材（３）全体が溝部（２１）内に完全に納まった状態となる。そしてこの状態にて、ガラス板（１）の端部（１１）は、ガラス板保持材（３）の一対の横片部（３２）によって両側から押えられ、表裏均等にバランス良くクッションが効いて、溝部（２１）にしっかりと取り付けられることとなる。
【００１２】
これにより、ガラス板（１）は框（２）に対して確実に、バランス良く、且つ見栄え良く取り付けられるのである。
【００１３】
ところで、以上の図１の実施形態では、ガラス板保持材（３）のテーパー状溝部（３１）は溝内壁（３１１）が傾斜してテーパー状となっているが、これ以外にも、たとえば図２に例示したように、溝壁（３１２）全体が溝底に向かって傾斜したテーパー状溝部（３１）としてもよい。これらのテーパー形状によれば、ガラス板（１）の差込時にその端部（１１）を溝内へ呼び込み易くすることができる。
【００１４】
また、ガラス板保持材（３）の横片部（３２）については、たとえば図３に例示したように、テーパー状溝部（３１）の開口端つまり溝壁（３１２）の開口側先端から湾曲して延設された横片部（３２）としてもよい。これによれば、図１の実施形態のような凹み（３２１）を設けることなく、ガラス板（１）差込時の略垂直状態への滑らかな立上りを実現できる。
【００１５】
またさらに、横片部（３２）については、たとえば図４に例示したように、テーパー状溝部（３１）の開口端よりも厚みのあるものとすることが好ましい。これによれば、ガラス板（１）差込時に、厚みのある横片部（３２）がガラス板（１）の端部（１１）両面に密着して、よりしっかりとした押え込みを実現できる。
【００１６】
図５は、厚みのある横片部（３２）の別の一実施形態を示したものであり、上面が円弧状に盛り上がっている。この場合では、円弧状の頂点部分を中心にガラス板（１）の端部（１１）両面に当接するので、押え込む力が集中し、より確実な押え込みを実現できる。
【００１７】
図６は、ガラス板保持材（３）のさらに別の一実施形態を示したものであり、テーパー状溝部（３１）の底部分を肥大化させている。これによれば、ガラス板（１）の差込時のクッション効果をより高めることができる。
【００１８】
図７は、以上の各種実施形態のこの出願の発明を用いてなるガラス入りドアの全体構成の一例を示したものである。この図７においては、ガラス板（１）の上下横端部（１１ａ）が上下横框（２ａ）にて保持され、左右縦端部（１１ｂ）が左右縦框（２ｂ）にて保持されており、上下横框（２ａ）の溝部（図示なし）の略中央位置にガラス板保持材（３ａ）が装着され、左右縦框（２ｂ）の溝部（図示なし）の任意３箇所にガラス板保持材（３ｂ）が装着され、それらガラス板保持材（３ａ）（３ｂ）に上述したとおりにガラス板（１）の上下横端部（１１ａ）および左右縦端部（１１ｂ）が差し込まれている。
【００１９】
ガラス板保持材（３ａ）（３ｂ）は、この図７に例示したように、適宜寸法の短尺なものとして、上下横框（２ａ）・左右縦框（２ｂ）の溝部の適宜位置に１個または複数個装着するようにしてもよく、またもちろん、溝部の略全長に沿った長尺なものとして、ガラス板（１）の周端部全体を保持するようにしてもよい。
【００２０】
もちろん、この出願の発明は以上の実施形態に限定されるものではなく、細部については様々な態様が可能である。
【００２１】
【発明の効果】
以上詳しく説明したとおり、この出願の発明によって、ガラス板を框に対して確実に、バランス良く、且つ見栄え良く取り付けることのできる、新しいガラス入りドアのガラス板保持材およびガラス板取付方法が提供される。
【図面の簡単な説明】
【図１】この出願の発明の一実施形態を示した断面図である。
【図２】この出願の発明の別の一実施形態を示した断面図である。
【図３】この出願の発明の別の一実施形態を示した断面図である。
【図４】この出願の発明の別の一実施形態を示した断面図である。
【図５】この出願の発明の別の一実施形態を示した断面図である。
【図６】この出願の発明の別の一実施形態を示した断面図である。
【図７】この出願の発明を用いてなるガラス入りドアの一例を示した斜視図である。
【符号の説明】
１  ガラス板
１１  端部
１１ａ  上下横端部
１１ｂ  左右縦端部
２  框
２ａ  上下横框
２ｂ  左右縦框
２１  溝部
３  ガラス板保持材
３ａ，３ｂ  ガラス板保持材
３１  テーパー状溝部
３１１  溝内壁
３１２  溝壁
３２  横片部
３２１  凹み
【図１】
2004251029.tif 000003
【図２】
2004251029.tif 000004
【図３】
2004251029.tif 000005
【図４】
2004251029.tif 000006
【図５】
2004251029.tif 000007
【図６】
2004251029.tif 000008
【図７】
2004251029.tif 000009